(57)【特許請求の範囲】
【請求項１】
血管内に留置されるカテーテルと、前記カテーテルが固定されているカテーテルハブと、前記カテーテルおよび前記カテーテルハブ内に挿入され抜去可能な内針とを有するカテーテル導入用具において、
前記カテーテルの根元部分をカバーしている第１の状態から、第１の状態でカバーされた部分が露出している第２の状態へと変化させることが可能で、前記カテーテルより硬質の材料で形成されたニードルガイドを有し、
前記ニードルガイドは取り外し可能であって、少なくとも前記カテーテルの根元部分を覆う空洞を有する胴部を有し、前記第１の状態が前記ニードルガイドをはめた状態であり、前記第２の状態が前記ニードルガイドを外した状態であることを特徴とするカテーテル導入用具。
【請求項２】
前記ニードルガイドが、少なくとも前記カテーテルの根元部分を覆い、下方に切れ目を有する空洞を備えた胴部と、この胴部の外面上方に備えられた２つのつまみを有し、このつまみを力を加えて把持することで前記切れ目が大きくなり前記ニードルガイドを前記カテーテルから取り外しが可能になることを特徴とする請求項１記載のカテーテル導入用具。
【請求項３】
血管内に留置されるカテーテルと、前記カテーテルが固定されているカテーテルハブと、前記カテーテルおよび前記カテーテルハブ内に挿入され抜去可能な内針とを有するカテーテル導入用具において、
前記カテーテルの根元部分をカバーしている第１の状態から、第１の状態でカバーされた部分が露出している第２の状態へと変化させることが可能で、前記カテーテルより硬質の材料で形成されたニードルガイドを有し、
前記ニードルガイドが、少なくとも前記カテーテルの根元部分を覆う空洞を有する胴部を有し、前記カテーテルに沿ってスライドして前記カテーテルハブ内に収納可能であり、前記第１の状態が前記ニードルガイドを前記カテーテルハブから引き出した状態であり、前記第２の状態が前記ニードルガイドを前記カテーテルハブ内に収納した状態であることを特徴とするカテーテル導入用具。
【請求項４】
血管内に留置されるカテーテルと、前記カテーテルが固定されているカテーテルハブと、前記カテーテルおよび前記カテーテルハブ内に挿入され抜去可能な内針とを有するカテーテル導入用具において、
前記カテーテルの根元部分をカバーしている第１の状態から、第１の状態でカバーされた部分が露出している第２の状態へと変化させることが可能で、前記カテーテルより硬質の材料で形成されたニードルガイドを有し、
前記ニードルガイドが、少なくとも前記カテーテルの根元部分を覆う空洞を有する胴部を有し、前記カテーテルに沿ってスライドして前記カテーテルハブの先端をキャップすることが可能であり、前記第１の状態が前記ニードルガイドを前記カテーテルハブから引き出した状態であり、前記第２の状態が前記ニードルガイドが前記カテーテルハブの先端をキャップした状態であることを特徴とするカテーテル導入用具。
【請求項５】
血管内に留置されるカテーテルと、前記カテーテルが固定されているカテーテルハブと、前記カテーテルおよび前記カテーテルハブ内に挿入され抜去可能な内針とを有するカテーテル導入用具において、
前記カテーテルの根元部分をカバーしている第１の状態から、第１の状態でカバーされた部分が露出している第２の状態へと変化させることが可能で、前記カテーテルより硬質の材料で形成されたニードルガイドを有し、
前記ニードルガイドが、少なくとも前記カテーテルの根元部分を覆う空洞を有する胴部を有し、前記カテーテルハブの先端付近を支点として開閉することが可能であり、前記第１の状態が前記ニードルガイドを閉じて前記カテーテルハブを覆った状態であり、前記第２の状態が前記ニードルガイドを開いて前記カテーテルの根元部分を露出した状態であることを特徴とするカテーテル導入用具。
【請求項６】
前記カテーテルハブが、
略平面の底面、および
指先にて左右から把持可能な左右側面部
を有することを特徴とする請求項１〜５のいずれかに記載のカテーテル導入用具。
【請求項７】
前記カテーテルハブの後端に設けられ、前記内針が挿通されている可とう性チューブと、
直管およびこの直管から分岐している側管を備え、前記可とう性チューブがその前端に固定され、前記内針が前記直管に挿通されている分岐管と、
前記分岐管の直管の後端開口に取り付けられ、前記内針の後端が固定されているカバー部材と
をさらに有し、前記カバー部材を前記分岐管から引くことにより前記内針が前記カテーテルから抜去されることを特徴とする請求項１〜６のいずれかに記載のカテーテル導入用具。
【請求項８】
請求項１〜７のいずれかに記載のカテーテル導入用具と、薬液注入装置とを有する薬液注入システム。
【発明の詳細な説明】
【技術分野】
【０００１】
本発明は、血管に薬液を注入するための薬液注入用具に関し、特に、カテーテルが血管に留置される薬液注入用具に関する。
【背景技術】
【０００２】
患者に対する薬液の注入時間が短いときは、中空の先鋭な金属針を血管に穿刺して行われることが多いが、注入時間が長時間になる場合には、血管を傷つけるのを防止するため、しばしば、柔らかいカテーテル等の留置針を血管内に留置して、これを通して薬液の投与が行われる。
【０００３】
また、ＣＴ（Ｃｏｍｐｕｔｅｄ  Ｔｏｍｏｇｒａｐｈｙ）スキャナ、ＭＲＩ（Ｍａｇｎｅｔｉｃ  Ｒｅｓｏｎａｎｃｅ  Ｉｍａｇｉｎｇ）装置、ＰＥＴ（Ｐｏｓｉｔｒｏｎ  Ｅｍｉｓｓｉｏｎ  Ｔｏｍｏｇｒａｐｈｙ）装置、ＳＰＥＣＴ（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）装置、超音波診断装置、アンギオ装置、ＭＲＡ（ＭＲ  Ａｎｇｉｏ）装置等により医療画像を得る際に、診断精度を向上させる目的で、血管に造影剤を注入する。このような場合にも、留置針が使用される。
【０００４】
図１５に示すように、留置針１０は、先端が外針と内針の二重針となっており、中空で柔軟なカテーテル１１（外針；カニューレとも言われる）とこのカテーテルに挿入されている金属製の硬質の内針１２を有し、内針１２は、ワイヤー（図示せず）によりタブ１４に接続されている。カテーテル１１は、カテーテルハブ１６に固定され、接続ポートベース１８にチューブ１３により接続している。チューブ１３も柔らかいプラスチック材料で形成されている。留置針を使用するとき、カテーテル１１に内針１２が挿入された状態で、被験者に穿刺し、その後タブ１４を引くと、内針１２が引き抜かれ、柔らかなカテーテル１１が血管内に留置される。延長チューブ接続ポート１５に延長チューブ（図示せず）が接続され、その反対末端に連結されている注入装置から、造影剤等の薬液が注入される。
【０００５】
図１６は、カテーテル１１が血管内に留置されている様子を示したものである。図１５では、被験者への固定をカテーテルハブ部に翼１７が付いている例を示したが、例えば、特開平１０−１５０７４号公報（特許文献１）、特開平１０−０２８７３９号公報（特許文献２）等のように、カテーテルのベース部分が円筒状の留置針構造も知られている。
【０００６】
ところで、薬液注入用に使用されるカテーテル１１の長さは、１９ｍｍ、２５ｍｍ、３２ｍｍ等が一般的である。留置針を穿刺するときには、カテーテルハブを指先で把持する。従って、カテーテルハブから針先までの距離が短い方が、針先が安定するので、短いカテーテルの方が穿刺し易い。しかし、カテーテルが短い場合には、長いカテーテルと比べて、血管から脱落し易いという問題がある。
【特許文献１】特開平１０−１５０７４号公報
【特許文献２】特開平１０−０２８７３９号公報
【発明の開示】
【発明が解決しようとする課題】
【０００７】
本発明はこのような問題に鑑みてなされたものであり、穿刺しやすく、かつカテーテルが血管に留置されている間に脱落し難いカテーテル導入用具を提供することを目的とする。
【課題を解決するための手段】
【０００８】
本発明は、以下の事項に関する。
【０００９】
１．  血管内に留置されるカテーテルと、前記カテーテルが固定されているカテーテルハブと、前記カテーテルおよび前記カテーテルハブ内に挿入され抜去可能な内針とを有するカテーテル導入用具において、
前記カテーテルの根元部分をカバーしている第１の状態から、第1の状態でカバーされた部分が露出している第２の状態へと変化させることが可能で、前記カテーテルより硬質の材料で形成されたニードルガイドを有することを特徴とするカテーテル導入用具。
【００１０】
２．  前記ニードルガイドは取り外し可能であって、少なくとも前記カテーテルの根元部分を覆う空洞を有する胴部を有し、前記第１の状態が前記ニードルガイドをはめた状態であり、前記第２の状態が前記ニードルガイドを外した状態であることを特徴とするする上記１記載のカテーテル導入用具。
【００１１】
３．  前記ニードルガイドが、少なくとも前記カテーテルの根元部分を覆い、下方に切れ目を有する空洞を備えた胴部と、この胴部の外面上方に備えられた２つのつまみを有し、このつまみを力を加えて把持することで前記切れ目が大きくなり前記ニードルガイドを前記カテーテルから取り外しが可能になることを特徴とする上記２記載のカテーテル導入用具。
【００１２】
４．  前記ニードルガイドが、少なくとも前記カテーテルの根元部分を覆う空洞を有する胴部を有し、前記カテーテルに沿ってスライドして前記カテーテルハブ内に収納可能であり、前記第１の状態が前記ニードルガイドを前記カテーテルハブから引き出した状態であり、前記第２の状態が前記ニードルガイドを前記カテーテルハブ内に収納した状態であることを特徴とするする上記１記載のカテーテル導入用具。
【００１３】
５．  前記ニードルガイドが、少なくとも前記カテーテルの根元部分を覆う空洞を有する胴部を有し、前記カテーテルに沿ってスライドして前記カテーテルハブの先端をキャップすることが可能であり、前記第１の状態が前記ニードルガイドを前記カテーテルハブから引き出した状態であり、前記第２の状態が前記ニードルガイドを前記カテーテルハブの先端をキャップした状態であることを特徴とするする上記１記載のカテーテル導入用具。
【００１４】
６．  前記ニードルガイドが、少なくとも前記カテーテルの根元部分を覆う空洞を有する胴部を有し、前記カテーテルハブの先端付近を支点として開閉することが可能であり、前記第１の状態が前記ニードルガイドを閉じて前記カテーテルハブを覆った状態であり、前記第２の状態が前記ニードルガイドを開いて前記カテーテルの根元部分を露出した状態であることを特徴とするする上記１記載のカテーテル導入用具。
【００１５】
７．  前記カテーテルハブが、
略平面の底面、および
指先にて左右から把持可能な左右側面部
を有することを特徴とする上記１〜６のいずれかに記載のカテーテル導入用具。
【００１６】
８．  前記カテーテルハブの後端に設けられ、前記内針が挿通されている可とう性チューブと、
直管およびこの直管から分岐している側管を備え、前記可とう性チューブがその前端に固定され、前記内針が前記直管に挿通されている分岐管と、
前記分岐管の直管の後端開口に取り付けられ、前記内針の後端が固定されているカバー部材と
をさらに有し、前記カバー部材を前記分岐管から引くことにより前記内針が前記カテーテルから抜去されることを特徴とする上記１〜７のいずれかに記載のカテーテル導入用具。
【００１７】
９．  上記１〜８のいずれかに記載のカテーテル導入用具と、薬液注入装置とを有する薬液注入システム。
【発明の効果】
【００１８】
本発明によれば、穿刺しやすく、かつカテーテルが血管に留置されている間に脱落し難いカテーテル導入用具を提供することができる。
【発明を実施するための最良の形態】
【００１９】
＜実施形態１＞
本発明のカテーテル導入用具（留置針）の1例を図面を参照して説明する。
【００２０】
この形態では、カテーテル導入用具は、図１に示すように、カテーテル３１０、内針３２０、カテーテルハブ３３０、ニードルガイド３８０、可とう性チューブ３５０、分岐管３６０、カバー部材３４０およびキャップ３７０を備えている。図２は断面図、図３は内針３２０を除いて描いた断面図である。また、図２、図３では、ニードルガイドを除いて示している。
【００２１】
カテーテル３１０は、少なくとも先端が血管内に留置されるため、シリコーンゴム等の血管に損傷を与えにくい柔らかなプラスチックまたはエラストマーで形成されており、その後端がカテーテルハブ３３０に固定されている。カテーテルハブ３３０は、カテーテルと薬液が流通できるように中空である。
【００２２】
カテーテルハブ３３０は、カテーテル３１０に内針３２０が挿通した状態の留置針を被験者に穿刺する際に、指で把持される部分である。従って、形状を保持できる程度に硬い材料で形成され、例えば、ポリカーボネート、ＡＢＳ、ポリプロピレン、ポリエチレン、軟質および硬質ポリ塩化ビニール、ポリウレタン、シリコーンゴム、天然ゴム、ポリブタジエンゴム、ＥＰゴム等のプラスチックまたはエラストマーで形成されている。
【００２３】
可とう性チューブ３５０は、被験者の多少の動きを許容するように、管内が閉塞しない程度に屈曲可能な柔らかな材料、例えば軟質ポリ塩化ビニール等で形成される。
【００２４】
分岐管３６０は、直管３６１と側管３６２を有し、直管の前端３６１ａにて可とう性チューブ３５０と接続されており、直管の後端３６１ｂに、１形態においてはカバー部材３４０が取り付けられている。
【００２５】
図３に示すように、カテーテル３１０、カテーテルハブ３３０、可とう性チューブ３５０および分岐管３６０は、内部で連通しており、分岐管の直管３６１の末端側は、シリコーンゴム等の弾性部材３６５にて遮断されており、分岐管３６０内で連通している側管３６２の末端の接続ポート３６３に、薬液が送液されてくるチューブが接続される。
【００２６】
図２に示すように、内針３２０は、針本体３２１と針本体に連結されたワイヤー３２２を備えている。針本体３２１とワイヤー３２２は、分岐管３６０の後端より、弾性部材３６５を貫通し、分岐管の直管３６１、可とう性チューブ３５０、カテーテルハブ３３０、およびカテーテル３１０のそれぞれ内部空洞を通して、カテーテル３１０の先端より針本体３２１の先端が露出している。内針本体は、金属製で、先鋭に形成されているので、内針およびカテーテルの組み合わせによる留置針を被験者に穿刺できる。
【００２７】
分岐管３６０のさらに後端に連結されているカバー部材３４０は、好ましい１形態においては、タブ３４１、蛇腹３４２、および分岐管３６０に連結している連結部３４３を有している。このカテーテル導入具では、留置針を被験者に穿刺した状態でタブ３４１を後方に引くと、ワイヤー３２２が連結されているために、カテーテル３１０を血管内に留置したまま、内針３２０（針本体３２１およびワイヤー３２２）が引き抜かれる。内針が引き抜かれた後、弾性部材３６５の機能により、分岐管の後端が密閉される。
【００２８】
図４は、タブ３４１を引いて、内針３２０を引き抜いた状態を示す図である。この形態では、蛇腹３４２が伸張して内針３２０が蛇腹内に収納される。また、連結部３４３は、強く引くと分岐管３６０から外れるようになっており、薬液を注入する際には、図４のように形態で取り外される。先鋭でありかつ被験者の血液に接触した内針３２０が、蛇腹構造を有するカバー部材３４０に収納されるために、作業者は、汚染された針を安全に廃棄することができる。
【００２９】
さらに、内針３２０を引き抜いた後、液漏れを完全に防止するために、分岐管３６０の後端はキャップ３７０で密閉される。
【００３０】
この実施形態のカテーテル導入用具では、接続ポート３６３に接続されたチューブから薬液が注入される。
【００３１】
本発明のカテーテル導入用具では、図１に示すように、カテーテルハブ３３０の前部に、カテーテル（留置針）の根元をカバーするように、ニードルガイド３８０を備える。本形態のニードルガイドは取り外し可能であり、ニードルガイドが装着された状態では、ニードルガイドから先に露出するカテーテルの長さは短く、ニードルガイドが取り外された状態では、露出するカテーテルの長さは長くなる。つまり、ニードルガイドの着脱によりカテーテルの長さを調節できる。すなわち、本発明のカテーテル導入用具の使用方法では、ニードルガイド３８０がカテーテル３１０に装着されている状態にて、内針およびカテーテルの組み合わせによる留置針を被験者に穿刺し、カテーテルを血管内に進めた後、前述のとおり内針３２０を抜去する。その後、ニードルガイドを取り外すと、カテーテル３１０の根元部分が露出するので、カテーテルを血管内にさらに押し進める。この追加の進入の前までに、カテーテルの大部分はすでに血管内に入っているので、カテーテルをスムーズに血管内に進入させることができる。このように、長いカテーテルを血管内に入れることにより、カテーテルの血管からの脱落が減少する。つまり本発明によれば、穿刺しやすく、かつ長いカテーテルを血管内に留置することができる。
【００３２】
図５は、ニードルガイド３８０がカテーテル３１０の根元部分（即ち固定端およびその近傍）をカバーしている様子を示す部分拡大図である。ニードルガイド３８０の側面図（針先端から見た図）を、図６に、正面図を図７に示す。図６（ａ）および図７（ａ）、（ｂ）に示すように、このニードルガイドは、カテーテルを、好ましくはカテーテルハブ３３０の先端部と共にカバーし、かつ下部にカテーテルの方向に沿った切れ目（開口）を有する空洞３８３を備える胴３８１と、２つのつまみ３８２を有する。図６（ｂ）に示すように、２つのつまみ３８２を摘んで適当な力を加えると、てこの原理により胴３８１の下部切れ目の幅が広がる。さらに力を増すと、カテーテル外径より大きく開くので、ニードルガイドをカテーテルから取り外すことが可能になる。
【００３３】
この形態のニードルガイドは、このような機能をはたす程度の弾性を有する材料で形成される。具体的には、例えばポリエチレン、軟質ポリ塩化ビニール、ポリウレタン、シリコーンゴム、天然ゴム、ポリブタジエンゴム、ＥＰゴム等の軟質プラスチックまたはエラストマーで形成されることが好ましい。
【００３４】
ニードルガイドの長さは、適宜選ぶことができるが、穿刺の際に２５ｍｍ針、薬液注入の際に３２ｍｍ針の機能を得ようとする場合には、カテーテルの根元の７ｍｍをカバーするような長さを選べばよい。
【００３５】
＜実施形態２＞
実施形態２では、ニードルガイドとカテーテルハブの先端が嵌合するようにして、穿刺の際にカテーテルハブとの一体性を向上させた例を説明する。
【００３６】
図８（ａ）、（ｂ）はそれぞれカテーテルハブの上面図、正面図である。この形態のカテーテルハブ４３０は、先端側に溝４３２を有する。図８（ｃ）に、ニードルガイド４８０を被せた状態を示す。ニードルガイド４８０の詳細を、図９｛（ａ）正面図、（ｂ）正面断面図、（ｃ）前方側面図、（ｄ）後方側面図、（ｅ）上面図｝に示す。ニードルガイド４８０は、下方に切れ目を有する空洞４８３を備える胴４８１と、２つのつまみ４８２を有する。空洞４８３は、カテーテルハブ４３０を覆う部分は大きく、カテーテル３１０を覆う部分は細くなっている。そして、空洞４８３の内部にカテーテルハブ４３０の溝４３２に嵌合する凸部４８５が設けられている。このように溝４３２と凸部４８５が嵌合することにより、ニードルガイドとカテーテルハブとの一体性が向上し、使用時にニードルガイドが前方へ抜け落ちることがない。また、つまみ４８２をつまんで力を加えたときには、上方に容易に抜けて取り外しが可能になる。
【００３７】
＜実施形態３＞
実施形態３としては、実施形態２のニードルガイド４８０と共に使用できるカテーテルハブの異なる形態を示す。図１０｛（ａ）正面図、（ｂ）上面図、（ｃ）前方側面図、（ｄ）後方側面図｝に示すように、カテーテルハブ５３０は、ニードルガイド４８０の凸部４８５と嵌合する溝５３２を有する点は、実施形態２のカテーテルハブと同様であるが、さらに指係り凸部５３５を有している。指係り凸部を有することで、カテーテルハブの把持が容易になることに加え、図１０（ｃ）および（ｄ）に示されるように、両側に張り出した平面の底面を有することで、カテーテルハブの回転が防止され、また皮膚との密着性も向上する。このように、指係り凸部を設けることは、本形態に限らずに、本発明では一般に好ましい。
【００３８】
＜実施形態４＞
実施形態１〜３では、ニードルガイドが取り外し可能なものを示したが、実施形態４のニードルガイドは、ニードルガイドがカテーテルに沿ってスライドして、カテーテルハブ内に収納される。即ち、穿刺のときは、図１１（ａ）に示すように、ニードルガイド６８０が引き出された状態で、針先までの距離が短い状態で使用する。このニードルガイド６８０は、図１１（ｂ）に示すように、カテーテルハブ６３０内に押し込むことができる。カテーテル３１０は、カテーテルハブ６３０に固定されているので、露出しているカテーテルの長さが長くなる。従って、薬液注入時には、長い状態のカテーテルを使用することができる。ニードルガイド内部にはカテーテルを通す空洞が存在するが、それは完全な筒状であっても、一部に切れ目があってもどちらでもよい。尚、この実施形態のように、ニードルガイドが弾性を必要としない場合には、硬質材料を使用することが可能であり、実施形態１で記載した材料に加え、ポリプロピレン、ＡＢＳ、ポリカーボネート、ポリスチレン、ＰＭＭＡ等を硬質プラスチックを使用してもよい。
【００３９】
＜実施形態５＞
実施形態５では、ニードルガイドがキャップ状になっている。即ち、図１２（ａ）に示すように、穿刺のときは、キャップ状のニードルガイド７８０が引き出されて、針先までの距離が短い状態で使用する。このニードルガイド７８０は、図１２（ｂ）に示すように、カテーテルハブ７３０の先端部をカバーするようにして、カテーテルハブ７３０先端にはめることができる。カテーテル３１０は、カテーテルハブ７３０に固定されているので、露出しているカテーテルの長さが長くなり、従って、薬液注入時には、長い状態のカテーテルを使用することができる。また、ニードルガイド内部にはカテーテルを通す空洞が存在するが、それは完全な筒状であっても、一部に切れ目があってもどちらでもよい。また、ニードルガイドとカテーテルハブが嵌合してキャップするように構成されることが好ましい。
【００４０】
＜実施形態６＞
実施形態６では、ニードルガイドが開閉型キャップ状になっている。即ち、図１３（ａ）に示すように、穿刺のときは、ニードルガイド８８０がカテーテル３１０の根元部分を覆っており、針先までの距離が短い状態で使用する。ニードルガイド８８０は、実施形態１のように、下部に切れ目（開口）を有しており、図１３（ｂ）に示すように、カテーテルハブ８３０の先端を支点として、前方を開くようにして、カテーテルの根元側を露出させることができる。このため露出しているカテーテルの長さが長くなり、従って、薬液注入時には、長い状態のカテーテルを使用することができる。
【００４１】
以上、代表的な実施形態を示して本発明を説明したが、使用可能なニードルガイドとしては、カテーテルの根元部分をカバーしている第１の状態から、カバーされた部分が露出した第２の状態へと変化させることが可能であれば、どのような形態であってもよい。
【００４２】
尚、本発明のカテーテル導入用具と共に使用することのできる薬液注入装置は、特に制限はない。使用可能な薬液注入装置の１例を図１４に示す。この薬液注入装置は、注入装置本体１１０とシリンジ２００を組み合わせて使用するものであり、ここでは２つのシリンジを搭載できるダブルヘッド型を例として示した。
【００４３】
シリンジ２００は、図１４に示すように、シリンダ部２１０とこれに挿入されるピストン部２２０とを有している。シリンダ部２１０は、円筒形本体２１１を有し、前端に導管部２１２が形成され、後端外周にはシリンダフランジ２１３が形成されている。また、ピストン部材の後端外周にはピストンフランジ２２１が形成されている。
【００４４】
シリンジには、所定の薬液が充填されている。本発明の好ましい形態において、カテーテル導入用具は、造影剤の注入用に使用される。例えばシリンジ２００Ｃに造影剤が充填され、シリンジ２００Ｐには生理食塩水が充填される。シリンジ２００Ｃは、予め造影剤が充填されている所謂プレフィルドタイプでも、空シリンジにボトルから造影剤が充填されるリフィルタイプでもどちらでもよい。
【００４５】
注入装置本体１１０は、２つ半円筒形の凹部１１４によりシリンジのシリンダ部２１０を受け、押圧部１１７によりシリンジのピストンフランジ２２１を保持する。そして、シリンダ部２１０に対してピストン２２０を相対移動させて、シリンジ内の薬液を注入し、または吸引する。図示していないが、注入装置本体１１０内には、押圧部１１７を駆動する駆動部が備えられている。通常は、図示していないが、さらに注入装置本体１１０に有線または無線にて連結される制御ユニット、モニターが別体で存在する。
【００４６】
図１４に示すように、シリンジ２００Ｃおよび２００Ｐの先端には、注入のためのチューブ３９０が取り付けられる。チューブ３９０は、必要により弁および／または分岐管等を介して、カテーテル導入用具の接続ポート３６３に接続される。
【００４７】
以上のように、カテーテル導入用具および薬液注入装置を使用して、造影剤等の薬液を被験者に注入することができる。
【図面の簡単な説明】
【００４８】
【図１】カテーテル導入用具の１例を示す図である。
【図２】カテーテル導入用具の１例を示す図である。
【図３】カテーテル導入用具の１例を示す図である。
【図４】内針がカバー部材内に収納された様子を示す図である。
【図５】カテーテルハブおよびニードルガイドの例を示す図である。
【図６】ニードルガイドの１例の詳細を説明する図である。
【図７】ニードルガイドの１例の詳細を説明する図である。
【図８】カテーテルハブの１例を示す図である。
【図９】ニードルガイドの１例の詳細を説明する図である。
【図１０】カテーテルハブの１例を示す図である。
【図１１】カテーテルハブおよびニードルガイドの１例を示す図である。
【図１２】カテーテルハブおよびニードルガイドの１例を示す図である。
【図１３】カテーテルハブおよびニードルガイドの１例を示す図である。
【図１４】本発明に使用可能な薬液注入装置の１例を示す図である。
【図１５】従来のカテーテル導入用具を示す図である。
【図１６】血管に薬液を注入している様子を模式的に示す図である。
【符号の説明】
【００４９】
３１０  カテーテル
３２０  内針
３２１  針本体
３２２  ワイヤー
３３０、４３０、５３０、６３０、７３０、８３０  カテーテルハブ
３４０  カバー部材
３５０  可とう性チューブ
３６０  分岐管
３７０  キャップ
３８０、４８０  ニードルガイド
３８１、４８１、  胴
３８２、４８２  つまみ
３８３、４８３  空洞
４３２  溝
４８５  凸部
５３５  指係り凸部
【図１】
0004809707.tif 000002
【図２】
0004809707.tif 000003
【図３】
0004809707.tif 000004
【図４】
0004809707.tif 000005
【図５】
0004809707.tif 000006
【図６】
0004809707.tif 000007
【図７】
0004809707.tif 000008
【図８】
0004809707.tif 000009
【図９】
0004809707.tif 000010
【図１０】
0004809707.tif 000011
【図１１】
0004809707.tif 000012
【図１２】
0004809707.tif 000013
【図１３】
0004809707.tif 000014
【図１４】
0004809707.tif 000015
【図１５】
0004809707.tif 000016
【図１６】
0004809707.tif 000017